(57)【特許請求の範囲】
【請求項１】
再生可能なディスクを回転自在に収納する筐体状のケースが、上記ケースの挿脱のための案内溝を上記ケースの側面に有して設けられ、
基台に、ケースの側面に面して上記ケースを保持するホルダーが、上記ケースを挿脱位置と、再生位置との間で変位するように設けられ、
駆動力を伝達される第１移動部材が基台に移動可能に支持されて設けられ、
前記ホルダーに移動可能に支持される第２移動部材が、上記第１移動部材からの駆動力を上記ホルダーが再生位置のときに伝達するように設けられ、
前記第１移動部材には、ホルダーが再生位置のときに、前記ホルダーの側面に沿った方向になる溝部が設けられ、
前記第２移動部材には、腕部が、上記の溝部に嵌入されると共に前記ケースの案内溝にも挿入されるように形成されていることを特徴とするディスクドライブ装置。
【請求項２】
請求項１記載のディスクドライブ装置において、
前記腕部は、溝部に嵌入され、かつ、案内溝に挿入される第１腕部と、第１腕部に連結され、かつ、溝部を外方から対面する第２腕部とを有し、
上記第２腕部の幅は上記溝部の幅より大きくなるように設定されていることを特徴とするディスクドライブ装置。
【請求項３】
請求項２記載のディスクドライブ装置において、
前記ホルダーの内側面に、前記案内溝に挿入される内方への曲げ部が、前記第１腕部より、ホルダーにおけるケースの挿入口側に形成されていることを特徴とするディスクドライブ装置。
【請求項４】
請求項１または２記載のディスクドライブ装置において、
前記ホルダーには、切り起こし部が、前記ホルダーとの間に前記第２移動部材を遊嵌するように設けられていることを特徴とするディスクドライブ装置。
【請求項５】
請求項１ないし４の何れかに記載のディスクドライブ装置において、
前記溝部の各内壁は、ホルダーの変位方向に沿うように形成されていることを特徴とするディスクドライブ装置。
【請求項６】
請求項１ないし４の何れかに記載のディスクドライブ装置において、
前記ホルダーは、回動によって、ケースを挿脱位置と、再生位置との間で変位するように設けられ、
前記溝部の各内壁は、ホルダーの変位方向に沿うように形成されていることを特徴とするディスクドライブ装置。
【請求項７】
請求項１ないし６の何れかに記載のディスクドライブ装置において、
磁界を発生させることによりディスクに情報を記録するための磁気ヘッドが設けられ、
ホルダーの再生位置において、前記磁気ヘッドをディスクに近接して位置する第１の位置と、前記磁気ヘッドを第１の位置よりディスクと離間する位置にある第２の位置とにわたって変位させるヘッド変位手段が、前記第２移動部材からの駆動力によって上記磁気ヘッドを変位させるように設けられ、
前記ヘッド変位手段を変位させるためのカム部が、前記第２移動部材における腕部と反対側端部に、傾斜部と、上記傾斜部に続く、前記磁気ヘッドを第２の位置に保持すると共に前記ディスクの表面に略平行となる平坦部とを有するように設けられ、
前記ヘッド変位手段には、上記カム部と係合する係合面が設けられ、
前記磁気ヘッドが前記第２の位置において、前記ヘッド変位手段の係合面は前記ディスクの表面と略平行となるように形成されていることを特徴とするディスクドライブ装置。
【請求項８】
請求項７に記載のディスクドライブ装置において、
前記ケースには前記ディスクを露出させるための窓を開閉するシャッターが備えられ、
前記ホルダーの側面には、前記シャッターと係合し、前記シャッターを閉方向に付勢する弾性部材を有するシャッター係止バネが備えられ、
前記シャッター係止バネの一端に、ディスクの厚さ方向に弾性を有する第１付勢部と、ディスクの径方向に弾性を有し前記第１付勢部を先端部に有する第２付勢部とが形成され、
上記第１付勢部は、前記ヘッド変位手段の変位方向への付勢力を与えるようになっていることを特徴とするディスクドライブ装置。
【発明の詳細な説明】
【０００１】
【発明の属する技術分野】
本発明は、側面に挿入方向端面より挿入方向に平行な案内溝を有するカートリッジケースに収納されたディスクの再生あるいは記録を行うディスクドライブ装置に関し、記録再生部を有する基台に支持される第１移動部材と、基台に支持されカートリッジケースを挿脱位置と再生位置との間に移動させるホルダーに支持される第２移動部材との連結機構を有するディスクドライブ装置に関するものである。
【０００２】
【従来の技術】
現在、情報信号の記録媒体として情報信号の重ね記録（オーバーライト）が可能な記録媒体としての光磁気ディスクと再生専用型の記録媒体としての光ディスクとを選択的に用いるミニディスク（ＭＤ）等のディスクドライブ装置が知られている。
【０００３】
このディスクドライブ装置に用いられる光磁気ディスクや光ディスクといったディスクは、上記ディスクにおける少なくとも信号記録面への損傷や塵挨の付着を防止するため、ディスクカートリッジに収納され、ディスクカートリッジに収納されたままの状態でディスクドライブ装置に挿入されて使用されるようになっている。
【０００４】
ディスクカートリッジを用いるディスクドライブ装置では、ディスクカートリッジを保持するホルダーを備え、このホルダーがディスクカートリッジの挿入または排出を行う上昇位置からディスクカートリッジ内のディスクに記録・再生を行う降下した位置側に回転・移動（回動）させることにより、ホルダーに挿入保持されたディスクカートリッジが記録再生部を有するベースシャーシに装着されるようになっている。
【０００５】
このようなディスクドライブ装置では、特に、記録できる光磁気ディスクも使用できるように、レーザ光を信号記録面に照射する光ピックアップ装置と、上記レーザ光の照射位置の反対面から記録情報に応じた磁界を印加するための磁気ヘッド装置とが設けられている。
【０００６】
このような磁気ヘッド装置の磁気ヘッドは、ディスクカートリッジがホルダーに挿脱される際には、上記ディスクカートリッジとの接触が回避された退避位置に設定されている一方、情報を記録するときには、印加磁界を大きくするために、ディスクカートリッジの記録用開口部を通して、光磁気ディスクの表面に近接または当接した位置に移動するようになっている。このため、ホルダーには、記録時に磁気ヘッドを移動させるための磁気ヘッド移動部材が設けられている一方、ベースシャーシには、ベースシャーシに備えられた駆動源からの駆動力を、上記磁気ヘッド移動部材に伝達するための移動部材が設けられている。
【０００７】
ところで、光磁気ディスクや光ディスクといったディスクは、情報信号の高密度記録が可能であるので、小径化したものが用いられている。例えば、直径を約６４ｍｍとした光磁気ディスクおよび光ディスクであるＭＤが挙げられる。このような小型化したＭＤを記録媒体に用いる装置自体も小型化され、携帯可能な大きさにまで小型化されたものが提案されている。
【０００８】
この種の携帯可能となされたディスクドライブ装置にあっては、携帯の利便性を向上させるため、一層の薄型化および小型化が要求されている。薄型化、小型化に関しては、ベースシャーシに設けられている駆動源からの駆動力をホルダーに支持される磁気ヘッド移動部材へと伝達する際の連結機構の方法についても当然必要となる。
【０００９】
上記ディスクドライブ装置の、従来の連結機構について、図１８ないし図２０に基づいて以下に説明する。まず、上記ディスクドライブ装置においては、ベースシャーシ１０１は、記録・再生時にホルダー１０２に保持されたカートリッジケース１１０を位置決め装着するカートリッジ装着部と、カートリッジケース１１０に収納されたディスクをクランプし回転させるディスク回転装置と、光源である半導体レーザー、該半導体レーザーのレーザー光を対物レンズに導く光学系、受光素子、対物レンズからの戻り光（ディスクによる反射光）を受光素子に導く光学系、およびフォーカシング・トラッキング制御部品等を内装する光学ピックアップ装置とを備えている。
【００１０】
ベースシャーシ１０１上には、駆動プレート１０３がＡ−Ｂ方向に移動可能に支持され、図示しないモーター等の駆動源からの駆動力によりＡ−Ｂ方向に往復移動するように設けられている。ホルダー１０２はベースシャーシ１０１後方側に設けられた支点軸１０１ａによりＩ−Ｊ方向に回動可能に上記ベースシャーシ１０１に対し支持されている。
【００１１】
ホルダー１０２上には、磁気ヘッド移動部材としての受動操作板１０４がＡ−Ｂ方向に移動可能に支持されている。駆動プレート１０３のＡ方向およびＤ方向の略先端付近にはＥ方向に直交する曲げ部１０３ａが、上記曲げ部１０３ａの根元中央にＡ−Ｂ方向に延びる角孔１０３ｂを有して形成されている。
【００１２】
また、受動操作板１０４のＤ方向先端部にはＦ方向に直交する、板状の曲げ部１０４ａが形成されている。この曲げ部１０４ａの先端付近が駆動プレート１０３の角孔１０３ｂに嵌入されていることによって、駆動プレート１０３と受動操作板１０４とが互いに連結されることとなる。また、このような嵌入による連結により、駆動プレート１０３および受動操作板１０４を、ベースシャーシ１０１およびホルダー１０２に対して、それぞれ容易に組み付けることが可能となっている。
【００１３】
また、受動操作板１０４の曲げ１０４ａの曲げ高さは、図２０に示す様にホルダー１０２がディスク挿入・排出位置（挿脱位置）にてＩ方向に回動した際に、振動やガタ等により駆動プレート１０３と受動操作板１０４の連結が外れない様な長さに設定してある。従って、駆動プレート１０３のＡ−Ｂ方向（Ａ方向移動位置を図１８に示し、Ｂ方向移動位置を図１９に示す）の位置の移動に連動して、受動操作板１０４がホルダー１０２上を移動することとなる。
【００１４】
【発明が解決しようとする課題】
ところが、前記従来のディスクドライブ装置では、以下の通り、装置全体の大型化を招くという問題を生じている。
【００１５】
すなわち、従来のディスクドライブ装置における、連結機構では、カートリッジケース１１０の挿脱位置とディスクの再生位置との間をホルダー１０２が回動するので、図２０に示すようにカートリッジケース１１０の挿脱位置で駆動プレート１０３と受動操作板１０４との連結が外れないように設定するためには、駆動プレート１０３の角孔１０３ｂと係合する、受動操作板１０４の曲げ部１０４ａの長さを、曲げ部１０４ａの位置でのホルダー１０２の回動量分と、振動やガタ等の余裕分とを足し合わせた量分長くする必要がある。
【００１６】
従って、ディスクの再生位置にホルダー１０２を回動したとき、受動操作板１０４の連結部である曲げ部１０４ａの下端が、ベースシャーシ１０１よりかなり下方に突出した位置になる。
【００１７】
ところで、近年、ミニディスク等の小型の記録媒体を用いた携帯用のディスクドライブ装置では、装置全体を小型化するため、ベースシャーシ１０１のすぐ下方に電気回路部品や、電気回路の電源として用いられる電池を配置している。
【００１８】
このため、従来の連結機構では、受動操作板１０４の曲げ部１０４ａの先端がベースシャーシ１０１のかなり下方まで延びるように設定されているため、スペースをロスしており、かつ受動操作板１０４の移動量分のスペース分もロスするので、装置全体の大型化を招くという問題を生じている。
【００１９】
【課題を解決するための手段】
本発明のディスクドライブ装置は、以上の課題を解決するために、再生可能なディスクを回転自在に収納する筐体状のケースが、上記ケースの挿脱のための案内溝を上記ケースの側面に有して設けられ、基台に、ケースの側面に面して上記ケースを保持するホルダーが、上記ケースを挿脱位置と、再生位置との間で変位するように設けられ、駆動力を伝達される第１移動部材が基台に移動可能に支持されて設けられ、前記ホルダーに移動可能に支持される第２移動部材が、上記第１移動部材からの駆動力を上記ホルダーが再生位置のときに伝達するように設けられ、前記第１移動部材には、ホルダーが再生位置のときに、前記ホルダーの側面に沿った方向になる溝部が設けられ、前記第２移動部材には、腕部が、上記の溝部に嵌入されると共に前記ケースの案内溝にも挿入されるように形成されていることを特徴としている。
【００２０】
上記の構成によれば、第１移動部材に溝部を形成し、第２移動部材に形成された腕部が上記溝部に嵌入されると共にケースの案内溝に挿入されることにより、基台に支持された第１移動部材とホルダーに支持された第２移動部材との間での駆動力の伝達において、ホルダーの変位動作による基台の下方への突出等により大型化する、従来の連結機構を小型化することが可能となり、装置全体の小型化に寄与することが可能となる。
【００２１】
上記ディスクドライブ装置においては、前記腕部は、溝部に嵌入され、かつ、案内溝に挿入される第１腕部と、第１腕部に連結され、かつ、溝部を外方から対面する第２腕部とを有し、上記第２腕部の幅は上記溝部の幅より大きくなるように設定されていることが好ましい。
【００２２】
上記の構成によれば、さらに、第１移動部材に形成された溝部の幅より、第２移動部材に形成された第２腕部の幅を大きくすることにより、第２腕部が、第１移動部材の溝部と第２移動部材の第１腕部との係合の外れを防止できるので、第２腕部を溝部のより近傍に位置し得ることが可能となり、第２移動部材に駆動力を伝達する連結機構をより小型化することが可能となり、装置全体の小型化に寄与することが可能となる。
【００２３】
上記ディスクドライブ装置では、前記ホルダーの内側面に、前記案内溝に挿入される内方への曲げ部が、前記第１腕部より、ホルダーにおけるケースの挿入口側に形成されていることが望ましい。
【００２４】
上記の構成によれば、さらに、第２移動部材の第１腕部と、ホルダーの内方への曲げ部とを案内溝に挿入されるように形成すると共に、上記曲げ部を第１腕部より、ホルダーにおけるケースの挿入口側に形成することにより、ケースの厚みの寸法バラツキによるホルダー内でのケースの厚さ方向でのガタツキ、およびケースの案内溝の形状や位置の寸法バラツキにより、ケースをホルダーに挿入するときにおいて、予め、案内溝に上記曲げ部が挿入されて、上記ケースが案内（ガイド）されているので、上記ケースと第１腕部との当接による上記ケースの挿入障害や第２移動部材の予期しない変位といった不都合を回避することが可能となる。
【００２５】
また、ミニ・ディスク（ＭＤ）用のカートリッジケースをケースとして用いた場合には、上記ケースは、その挿入方向の奥行きが６８ｍｍ、上記挿入方向と直交する幅方向が７２ｍｍである方形状であり、幅方向が４ｍｍ程度大きいだけである。そのため、操作者が誤ってホルダー内に上記ケースを挿入方向と直交する端面より挿入することが考えられる。
【００２６】
挿脱方向の端面には案内溝が開口して形成されていないため、この誤挿入の際には、ケースの側面に案内溝が無いことになる。従って第２移動部材の第１腕部と当接し、第２移動部材を損傷する可能性が高い。
【００２７】
しかしながら、上記構成の様に第２移動部材の第１腕部をホルダーの曲げ部の後方（挿入口とは反対側）に位置させることにより、操作者の誤挿入による第２移動部材の損傷を防ぐことが可能となる。
【００２８】
上記ディスクドライブ装置においては、前記ホルダーには、切り起こし部が、前記ホルダーとの間に前記第２移動部材を遊嵌するように設けられていることが望ましい。
【００２９】
上記構成によれば、さらに、前記ホルダーとの間に前記第２移動部材を遊嵌する切り起こし部をホルダーに設けることにより、カートリッジケースの側面に設けられた溝部に挿入される第１腕部のガタつきを抑制し、第１腕部の位置のバラツキを安定化することとなり、ケースの挿入時における上記ケースと第１腕部との当接を確実に防止することが可能となり、第２移動部材の損傷を回避することが可能となる。
【００３０】
上記ディスクドライブ装置では、前記溝部の各内壁は、ホルダーの変位方向に沿うように形成されていることが好ましい。上記構成によれば、第１移動部材のＵ字状の溝部の形状を、ホルダーの変位方向に沿って形成することにより、ホルダーの変位動作による第２移動部材の位置ズレを防ぐことが可能となり、高精度の連結を提供することが可能となる。
【００３１】
また、ホルダーの変位により第２移動部材が位置ズレすると、第１腕部が溝部内を移動する際に、位置ズレの際に側圧が生じるが、上記構成では、第２移動部材の位置ズレに伴う第１腕部が溝部内を移動する際の摺動負荷を低減することが可能となり、ホルダーの変位動作の移動負荷を低減することが可能となる。
【００３２】
上記ディスクドライブ装置においては、前記ホルダーは、回動によって、ケースを挿脱位置と、再生位置との間で変位するように設けられ、前記溝部の各内壁は、ホルダーの変位方向に沿うように形成されていてもよい。
【００３３】
上記構成によれば、第１移動部材の溝部の形状を、ホルダーの回動支点を中心とし、ホルダーの回転支点の位置とケースの挿脱時における、溝部に嵌入される第１腕部の位置との前記ホルダーの回動平面上における投影距離を半径とする円弧形状に形成することにより、溝部の形状が、ホルダーの回動動作の際の第１腕部の軌跡の形状に沿ったものとなり、ホルダーの回動動作による第２移動部材の位置ズレを防ぐことが可能となり、高精度の連結を提供することができる。
【００３４】
また、上記構成では、ホルダーの回動により第２移動部材が位置ズレすると、第１腕部が溝部内を移動する際に、位置ズレの際に側圧が生じる。従って、上記構成により、第２移動部材の位置ズレに伴う第１腕部が溝部内を移動する際の摺動負荷を低減することが可能となり、ホルダーの回動動作の回動負荷を低減することが可能となる。
【００３５】
上記ディスクドライブ装置においては、磁界を発生させることによりディスクに情報を記録するための磁気ヘッドが設けられ、ホルダーの再生位置において、前記磁気ヘッドをディスクに近接して位置する第１の位置と、前記磁気ヘッドを第１の位置よりディスクと離間する位置にある第２の位置とにわたって変位させるヘッド変位手段が、前記第２移動部材からの駆動力によって上記磁気ヘッドを変位させるように設けられ、前記ヘッド変位手段を変位させるためのカム部が、前記第２移動部材における腕部と反対側端部に、傾斜部と、上記傾斜部に続く、前記磁気ヘッドを第２の位置に保持すると共に前記ディスクの表面に略平行となる平坦部とを有するように設けられ、前記ヘッド変位手段には、上記カム部と係合する係合面が設けられ、前記磁気ヘッドが前記第２の位置において、前記ヘッド変位手段の係合面は前記ディスクの表面と略平行となるように形成されていることが好ましい。
【００３６】
上記構成によれば、ヘッド変位手段が上方位置に回動した状態である第２の位置において、ヘッド変位手段の係合面はディスクと平行になるように形成され、ディスクと平行に形成された第２移動部材のカム部の平坦部と平行になる。従って、第２移動部材の移動量のズレ等によるヘッド変位手段の回動量への影響が無いこととなり、磁気ヘッドを第１の位置よりディスクから離間した第２の位置が安定化することとなる。
【００３７】
また、ヘッド変位手段の係合面はディスクと平行になるように形成されることにより、磁気ヘッドが第２の位置にある状態において、ヘッド変位手段の係合面の高さを低くすることが可能となり、ヘッド変位手段の支点部から離れているために回動量が大きくなる磁気ヘッドのより近くに配置することが可能となるので、部品のバラツキによる磁気ヘッドの第２の位置である退避位置の精度が向上することが可能となる。
【００３８】
さらに、上記構成では、磁気ヘッドの第２の位置である退避位置が安定するため、磁気ヘッドの退避位置をケースの近傍に配置し、磁気ヘッドの高さを低くすることが可能となり、装置全体の薄型化に寄与することが可能となった。
【００３９】
本発明のディスクドライブ装置では、前記ケースには前記ディスクを露出させるための窓を開閉するシャッターが備えられ、前記ホルダーの側面には、前記シャッターと係合し、前記シャッターを閉方向に付勢する弾性部材を有するシャッター係止バネが備えられ、前記シャッター係止バネの一端に、ディスクの厚さ方向に弾性を有する第１付勢部と、ディスクの径方向に弾性を有し前記第１付勢部を先端部に有する第２付勢部とが形成され、上記第１付勢部は、前記ヘッド変位手段の変位方向への付勢力を与えるようになっていることが望ましい。
【００４０】
上記構成によれば、さらに、ヘッド変位手段の変位方向の付勢をシャッター係止バネに備えられる第１付勢部により行うことで、ヘッド変位手段の付勢力を与える部材を別に設ける必要がなくなり、部品点数の削減が可能となる。
【００４１】
他のヘッド変位手段近傍に位置するホルダー他の部品はある程度の剛性が必要なために板厚がシャッター係止バネより、薄くすることが困難なため、付勢バネとして使用するにはバネ定数が高くなるために、ヘッド変位手段の負荷が増大する。
【００４２】
そこで、板厚を薄くすることが可能なシャッター係止バネにヘッド変位手段の変位方向の付勢を行うように設定することにより、磁気ヘッドの変位方向への負荷を減らすことが可能となった。
【００４３】
また、第１付勢部が、ディスクの径方向に弾性を有する第２付勢部の先端に形成されることにより、第１付勢部が上記径方向にも弾性を有することとなり、第１付勢部をヘッド変位手段に係合させる際の組み立て性を向上させることが可能となった。
【００４４】
【発明の実施の形態】
本発明の実施の形態について図１ないし図１７に基づいて説明すれば、以下の通りである。
【００４５】
以下、本発明に係る実施の形態を図面に基づいて説明する。まず、本発明に係るディスクドライブ装置においては、音楽信号等の情報信号の記録媒体として情報信号の重ね記録を可能となす光磁気ディスクと再生専用型の光ディスクとが選択的に装着できるようになっている。本実施の形態では、図１に示すように、上記光磁気ディスクをディスク２０ａとして説明するが、本発明は、後述する再生専用型の光ディスクにも適用可能である。
【００４６】
本発明のディスクドライブ装置は、再生可能なディスク２０ａを回転自在に収納する筐体状のカートリッジケース２０と、上記カートリッジケース２０が挿入されて保持するホルダー７とを有している。上記カートリッジケース２０には、カートリッジケース２０における、挿入方向に対する各側部に前記カートリッジケース２０の挿入方向端面より挿入方向に平行な各案内溝２０ｇ1 、２０ｇ2 がそれぞれ形成されている。
【００４７】
上記ホルダー７は、カートリッジケース２０の挿入口７ｌがベースシャーシ（基台）１と離間して上記カートリッジケース２０をホルダー７内に容易に挿入したり、ホルダー７から取り出したりする挿脱位置と、ベースシャーシ１に対し略平行となる記録再生／再生位置（ローディング位置）との間で回動するようにベースシャーシ１に取り付けられている。また、上記ホルダー７は、カートリッジケース２０の挿入ガイド部としての底面部７ｎを有している。
【００４８】
このように、上記ディスクドライブ装置に用いられる、記録再生可能なディスク２０ａは、ディスク２０ａにおける少なくとも信号記録面の損傷や塵挨の付着を防止するため、ディスクカートリッジ２０に収納され、ディスクカートリッジ２０に収納されたままの状態でディスクドライブ装置に装着されるようになっている。
【００４９】
そして、ディスクドライブ装置では、ディスク２０ａを両面から光ビームや磁界を印加して走査するために、リフト動作レバー５およびリフト連結レバー８が設けられている。
【００５０】
上記リフト動作レバー５は、ベースシャーシ１に対し、カートリッジケース２０の挿入・取出方向と略同一方向であるＡ−Ｂ方向に往復移動可能に支持されており、かつ、移動方向略先端部かつ前記カートリッジケース２０の側部近傍に位置するＵ字状の溝部５ａ1 をホルダー７の側面に沿って立設させて有している。
【００５１】
前記リフト連結レバー８は、ホルダー７に対し回動可能に支持されており、かつ、その端部に腕部８ｂを有して設けられている。その上、上記腕部８ｂは、その先端部が、溝部５ａ1 に嵌入されると共に、さらに前記カートリッジケース２０の側部の案内溝２０ｇ2 にも挿入されるように設定されている。
【００５２】
なお、上記溝部５ａ1 の形状は、Ｕ字状に限定されるものではなく、先端部にて二股に分かれ、かつ、腕部８ｂの先端部がディスク２０ａが再生位置のときに嵌入して駆動力を無駄なくリフト動作レバー５からリフト連結レバー８に伝達できる連結形状であればよく、例えば、先端に向かって間隔が順次大きくなるようなテーパー形状部を有するものであってもよい。
【００５３】
このような本発明に係るディスクドライブ装置は、上記連結機構の安定化および確実化のための腕部８ｂの連結のための遊び部分を案内溝２０ｇ1 に挿入することによって、リフト動作レバー５とリフト連結レバー８との間での駆動力を伝達するための連結機構の大型化を、従来より回避できるようになっている。
【００５４】
尚、各図において、矢印Ａは装置本体の後方向（ディスクカートリッジ２０の挿入方向）、矢印Ｂは装置方向の前方向（ディスクカートリッジ２０の取り出し方向）、矢印Ｃ、Ｄは装置本体正面（ディスクカートリッジ２０の挿入口側）から見て右、左の各方向、矢印Ｅ、Ｆは装置本体の上、下の各方向（上方向とは、ベースシャーシ１から、ベースシャーシ１上のホルダー７に向かう方向、下方向とは、上方向に対し反対方向を示している）。
【００５５】
さらに、矢印Ｇ、Ｈは本体上方（ホルダー７を挟んでベースシャーシ１に向かう位置）から見て時計、反時計の各方向、矢印Ｉ、Ｊは本体右側から見て時計、反時計の各方向を示す。すなわち、上記Ｉ方向とは、ホルダー７が、ディスクカートリッジ２０のディスク２０ａの再生位置から、上記ディスクカートリッジ２０の挿脱位置へ回転移動する方向を示し、上記Ｊ方向とは、上記Ｉ方向と逆方向に回転移動する方向である。
【００５６】
次に、本発明に係る連結機構が適用されるディスクドライブ装置に用いられる光磁気ディスクであるディスク２０ａを収納したディスクカートリッジ２０と、光ディスク２１ａを収納したディスクカートリッジ２１を図２、および図３に示し、以下に説明する。
【００５７】
ディスクカートリッジ２０は、図２および図３中矢印Ａ方向および矢印Ｂ方向を挿脱方向としてホルダー７に対し、挿脱されるものである。情報信号の重ね記録を可能となすディスク２０ａを収納したディスクカートリッジ２０は、図２に示すように、ディスク２０ａの外径を略内接円とする方形状のカートリッジ本体２０ｂを備えている。
【００５８】
このカートリッジ本体２０ｂの上面側には、図２に示すように、収納したディスク１１の信号記録領域の一部を内外周にわたって外方に臨ませる（露出させる）記録用の開口部２０ｃ2 が形成され、カートリッジ本体２０ｂにの下面側には、記録用の開口部２０ｃ2 に対向して、同じくディスク２０ａの信号記録領域の一部を外方に臨ませる記録再生用の開口部２０ｃ1 が形成されている。
【００５９】
さらに、カートリッジ本体２０ｂの下面側の中央部には、図２に示すように、ディスク２０ａを回転操作する、後述するディスク回転装置を構成するターンテーブルが進入して上記ディスク２０ａと当接するための、円形をなす中央開口部２０ｄが形成されている。
【００６０】
そして、記録型のディスクカートリッジ２０を構成するカートリッジ本体２０ｂには、このカートリッジ本体２０ｂの上下両面に設けた記録および／または再生用の開口部２０ｃ1 、２０ｃ2 を開閉するシャッタ部材２０ｅがＡ−Ｂ方向に移動自在に取り付けられている。このように構成されたシャッタ部材２０ｅは、記録および／または再生用の開口部２０ｃ1 、２０ｃ2 を覆うようにしてカートリッジ本体２０ｂの前面側に取り付けられ、Ａ−Ｂ方向に沿って往復移動することにより各開口部２０ｃ1 、２０ｃ2 を開閉するようになっている。
【００６１】
カートリッジ本体２０ｂの右側面には、カートリッジケース２０の挿入端部より挿入方向（Ａ−Ｂ方向）に平行に案内溝部２０ｇ1 が形成されている。上記シャッタ部材２０ｅは、右側面に設けられた係合片を案内溝部２０ｇ1 の右側面に係合されることにより、案内溝部２０ｇ1 にガイドされ安定した移動が保証される。
【００６２】
また、カートリッジ本体２０ｂの左側面後方には挿入端部より挿入方向に平行に案内溝部２０ｇ2 が形成されている。上記各案内溝部２０ｇ1 、２０ｇ2 は、それぞれ、カートリッジ本体２０ｂの後方端面である挿入端部２０ｊに開口しており、その上、挿入端部２０ｊの近傍において、挿入端部２０ｊに向かって順次、幅および深さが大きくなるテーパー形状を有するものとなっている。また、カートリッジ本体２０ｂの下面側には、装置内でカートリッジ本体２０ｂを位置決めするための位置決め用孔２０ｈ、２０ｉがそれぞれ前後方向に沿った各位置に形成されている。
【００６３】
記録・再生型のディスクカートリッジ２０に取り付けられたシャッタ部材２０ｅの側面部および再生専用型のディスクカートリッジ２１（図３参照）に取り付けられたシャッタ部材２１ｅの側面部の中央部には、これらディスクカートリッジ２０、２１を光磁気記録再生装置に装着したとき、シャッタ部材２０ｅ、２１ｅを開放位置に保持し、また、ディスクカートリッジ２０、２１をイジェクト操作するとき、シャッタ部材２０ｅ、２１ｅをカートリッジ本体２０ｂ、２１ｂに対し相対移動させるように係止する装置側に設けられた係止部材が係合する係合孔２０ｅ1 、２１ｅ2 が設けられている。
【００６４】
また、カートリッジ本体２０ｂ、２１ｂ内部の右側にはシャッタ部材２０ｅ、２１ｅが閉じた際に、シャッタ部材２０ｅ、２１ｅの移動を規制するロックレバー２０ｆ、２１ｆが案内溝部２０ｇ1 の右側面に形成され、Ｇ方向への回動により、シャッタ部材２０ｅ、２１ｅの移動規制が解除される。
【００６５】
また、各ディスクカートリッジ２０、２１に収納されるディスク２０ａおよび光ディスク２１ａの中央部には、センタ穴２０ａ1 、２１ａ1 がそれぞれ形成されるとともに、このセンタ穴２０ａ1 、２１ａ1 を閉塞するようにして記録再生装置側のディスク回転装置にクランプさせるためのハブ２０ａ2 、２１ａ2 が取り付けられている。
【００６６】
なお、以下の実施の形態においては、記録／再生型のカートリッジケース２０を用いて説明するが、再生専用型のカートリッジケース２１を用いた場合でも同様に用いることができる。また、ディスク２０ａおよび光ディスク２１ａについても、特に明記しないかぎり、ディスク２０ａとして以下に説明する。
【００６７】
上述のように構成されたはディスクカートリッジ２０を用いる発明に係る連結機構が適用されるディスクドライブ装置を図１および図４ないし図６に示し、以下に詳細に説明する。
【００６８】
このディスクドライブ装置は、図１に示すように、携帯可能な大きさにまで小型化されたものであって、装置本体を構成する図示しない筐体内に配設される平板な矩形状をなすベースシャーシ１を備えている。
【００６９】
このベースシャーシ１には、ディスクカートリッジ２０が挿入保持されるホルダー７を回動自在に支持するとともに、記録再生部を構成する磁気ヘッド装置１２および光学ピックアップ装置２が組み込まれ、さらにホルダー７に保持されたディスククカートリッジ２０に収納されたディスク２０ａを回転操作するディスク回転装置３が組み込まれている。
【００７０】
また、ベースシャーシ１、ホルダー７には、ホルダー７が再生位置のときに磁気ヘッド装置１２をカートリッジケース２０に対して昇降、つまり上記磁気ヘッド装置１２の磁気ヘッド１２ａをカートリッジケース２０のディスク２０ａに対し離間させたり、近接させたりする、後述する磁気ヘッド昇降機構が組み込まれている。
【００７１】
上記磁気ヘッド昇降機構の各構成、結合関係については、図１および図４ないし図６に基づいて以下に詳細に説明する。ベースシャーシ１、および光学ピックアップ装置２、ディスク回転装置３、磁気ヘッド昇降機構の一部である第１移動部材（以下、リフト動作レバー）５の各構成、結合関係は、上記ディスクドライブ装置の斜視図である図４、ディスクドライブ装置の裏面図である図５および上記ディスクドライブ装置の要部斜視図である図６に示しており、以下に詳細に説明する。
【００７２】
ベースシャーシ１には、後述するディスク回転装置３、並びに後述する光学ピックアップ装置２の移動範囲を考慮した適宜大きさの開口部１ａを平面右側に形成し、開口部１ａの前後にはカートリッジ本体２０ｂの位置決め孔２０ｈ、２０ｉに嵌合させカートリッジ本体２０ｂを前後左右に位置決めするためのガイドピン１ｄ、１ｅが形成されている。
【００７３】
ベースシャーシ１における、奥側（後方側）左右に、ホルダー７を回動できるように保持するための曲げ部がそれぞれ立設して形成され、上記各曲げ部の各先端部に、長方形板状のホルダー支点用端部１ｂ、１ｃが、それらをベースシャーシ１の表面に対し平行方向に延びるように形成されている。さらに、ホルダー支点用端部１ｃの後方のベースシャーシ１には曲げ部１ｉが立設するように形成されている。
【００７４】
また、ベースシャーシ１の平面部には中央前部、左側前後にガイド溝１ｆ、１ｇ1 、１ｇ2 が形成され、ガイド溝１ｇ1 、１ｇ2 の左側には段曲げ部１ｈ1 、１ｈ2 が形成されている。
【００７５】
前述のディスク回転装置３はディスク２０ａをチャッキングし一体回転するターンテーブル３ｂを一体化したスピンドルモーター３ａを有して、ベースシャーシ１に固定されている。ターンテーブル３ｂは開口部１ａの位置よりベースシャーシ１の上面側に突出するように設定されている。また、ベースシャーシ１には、光学ヘッドを有するる光学ピックアップ装置２がターンテーブル３ｂ上に装着されるディスク２０ａの信号記録面を径方向にわたって移動し得るように取り付けられている。
【００７６】
この光学ピックアップ装置２は、ターンテーブル３ｂ上のディスク２０ａに照射される光ビームを出射する半導体レーザの如き光源を内蔵するとともに、光源から出射された光ビームを集束してディスク２０ａに照射するための対物レンズ２ａに導く光学部品や、ディスク２０ａから反射される戻りの光ビームを検出する光検出器を内蔵した光学ブロックと、対物レンズ２ａをフォーカスエラー信号およびトラッキングエラー信号に基づいて、対物レンズ２ａの光軸と平行な方向のフォーカシング方向および対物レンズ２ａの光軸に直交する平面方向のトラッキング方向に駆動変位させる２軸アクチュエータとを備えている。
【００７７】
そして、光学ピックアップ装置２は、ベースシャーシ１の下面側に互いに平行に配されたガイド軸１６およびガイド部を介してターンテーブル３ｂ上のディスク２０ａの径方向に移動自在に支持されるとともに、送りモーター１９ａにより回転駆動されるようになっている。
【００７８】
光学ピックアップ装置２のディスク径方向への駆動手段は、光学ピックアップ装置２に取り付けられた駆動グリップ２ｂがネジ部に噛合圧着する駆動ネジ１７と、駆動ネジ１７の先端部に設けられた図示しないウォームホイールギヤ部、ギヤ１９ｂとそれを駆動するモーター１９ａからなる送りモーターブロック１９、前記モーターギヤ１９ｂと噛合する大ギヤ（平ギヤ）部と前記駆動ネジ１７の先端の図示しないウォームホイールと噛合するウォーム部から成る中間ギヤ１８とにより構成されている。
【００７９】
送りモーター１９ａの駆動力はギヤ１９ｂ、中間ギヤ１８を介して駆動ネジ１７に伝達され、駆動ネジ１７の回転により光学ピックアップ装置２を矢印Ｃ−Ｄ方向に摺動するものである。光学ピックアップ装置２の摺動方向は送りモーター１９ａの回転方向によって決定される。このとき、光学ピックアップ装置２は、対物レンズ２ａをベースシャーシ１に形成した開口部１ａを介してターンテーブル３ｂ上のディスク２０ａに対向させている。
【００８０】
光学ピックアップ装置２は、送りモーター１９ａが駆動され、送りネジ１７が回転駆動されることにより、ガイド軸１６およびガイド部にガイドされてターンテーブル３ｂ上のディスク２０ａの径方向に送り操作され、対物レンズ２ａを介して出射される光ビームによりディスク２０ａの信号記録面を走査する。
【００８１】
次に、前述の連結機構について説明すると、まず、略長方形板状のリフト動作レバー５は、ベースシャーシ１の裏面に沿って取り付けられている。ベースシャーシ１における、Ａ−Ｂ方向に延びる各ガイド溝１ｆ、１ｇ1 、１ｇ2 にリフト動作レバー５の段付きガイド軸５ｂ、およびガイドボス５ｃ1 、５ｃ2 をそれぞれ互いに嵌合し、かつベースシャーシ１における、Ａ−Ｂ方向に延びる各段曲げ部１ｈ1 、１ｈ2 とリフト動作レバー５の段曲げ部５ｄ1 、５ｄ2 とがそれぞれ互いに係合している。このことから、リフト動作レバー５は、ベースシャーシ１に対してＣ−Ｄ方向、およびＥ−Ｆ方向への移動が規制され、Ａ−Ｂ方向にのみ摺動可能なようにベースシャーシ１の裏面上に取り付けられている。
【００８２】
これらの嵌合および係合により、リフト動作レバー５とベースシャーシ１を足した厚みとほぼ同じ厚みにてリフト動作レバー５はＥ−Ｆ方向（ベースシャーシ１の厚さ方向）に支持されることになる。また、リフト動作レバー５の前方部には、駆動力をリフト動作レバー５に伝達するためのラック部５ｅがＡ−Ｂ方向に沿って形成されている。
【００８３】
リフト動作レバー５の後方部（ホルダー支点用端部１ｂの近傍位置）には、長方形板状の曲げ部５ａが、リフト動作レバー５の本体に対し直角にＥ−Ｆ方向につまりベースシャーシ１の平面表方向へ延びるように、言い換えると再生位置のホルダー７の側面に沿って、すなわち上記曲げ部５ａの表面を再生位置のホルダー７内のカートリッジケース２０の側部に沿って面するように形成されている。上記曲げ部５ａは、金属板またはプラスチック板等の弾性部材からなっていることが好ましい。
【００８４】
そして、上記曲げ部５ａの先端部には、リフト動作レバー５の駆動力をホルダー７が再生位置にあるときに、リフト連結レバー８に伝達するための、先端にて二股に分かれたＵ字状の溝部５ａ1 が形成されている。上記溝部５ａ1 のＵ字状における、互いに対面する各内壁は、互いに略平行に、かつ、ホルダー支点用端部１ｂを中心とする円弧形状とすることが好ましい。
【００８５】
次に、リフト動作レバー５に伝達される駆動力源について説明すると、まず、ベースシャーシ１の中央前方付近の裏面には昇降駆動用モーターユニット４が配置されている。昇降駆動用モーターユニット４は、昇降駆動用のモーター４ａと複数のギヤから成るギヤ列とギヤ列を位置決めし、かつ上記各ギヤ列を保護するために被覆するハウジング４ｃにより構成されている。
【００８６】
各ギヤ列の最終段である出力ギヤ４ｂは、リフト動作レバー５のラック部５ｅと噛合している。よって、上記モーター４ａはリフト動作レバー５をベースシャーシ１に対しＡ−Ｂ各方向へと往復移動させる駆動力源となっている。
【００８７】
次に、ホルダー７、および磁気ヘッド昇降用部材の各構成、結合関係を図７および図８に基づいて、以下に詳細に説明する。図７に示すように、ホルダー７はディスクカートリッジ２０の平面形状に略等しい大きさの矩形状に形成された天板７ａと、底面部７ｎとを有している。
【００８８】
上記底面部７ｎは、天板７ａの左右で下方向への曲げ部により形成された左右両側面の下方（先端部）にて内方へ折り曲げられて、さらに、上記底面部７ｎの底面を天板７ａの表面と平行となるように形成されている。よって、上記ホルダー７は、装置前方から見ると左右にそれぞれ、互いに対面するコの字状部を有する開口部７ｌを有することになる。
【００８９】
天板７ａと曲げ面を有する底面部７ｎと左右両側面とは、開口部７ｌよりディスクカートリッジ２０が挿入・保持される様に、ディスクカートリッジ２０の厚み、幅よりそれぞれ僅かに大きくなる様に適正な間隔を有するように形成されている。
【００９０】
ホルダー７の後方側には、ホルダー７を所定の角度範囲内にて回動自在とするための、一対の異形孔７ｃ1 、７ｃ2 が左右両側面にそれぞれ互いに対面する位置に形成されている。異形孔７ｃ1 、７ｃ2 は、その内壁部に互いに対面して近接するように突出する一対の山型部を有している。
【００９１】
上記各山型部は、それらの先端を結ぶ仮想線が、ほぼ、ホルダー７を所定の回動角度範囲の中間の角度に対し垂直となるように形成されている。これにより、異形孔７ｃ1 、７ｃ2 に挿入された長方形板状の各ホルダー支点用端部１ｂ、１ｃの幅方向端部が、ホルダー７の回動に伴って各異形孔７ｃ1 、７ｃ2 の内壁と当接することによっても、ホルダー７の回動角度範囲が規制されることになる。
【００９２】
ホルダー７の左側面の異形孔７ｃ2 の前方には角孔７ｈが形成され、角孔７ｈの前方には内方に、かつ、Ａ−Ｂ方向に向かって延びる曲げ部７ｉが突設されている。上記曲げ部７ｉはディスクカートリッジ２０の案内溝部２０ｇ2 の後方左側面に挿入される様に配置されている。また、ホルダー７の右側面側の中央部には内方に、かつ、Ａ−Ｂ方向に向かって延びる曲げ部７ｊが同様に突設され、ディスクカートリッジ２０の案内溝部２０ｇ1 の右側面に挿入される様に配置されている。
【００９３】
曲げ部７ｊの前方には角孔７ｋが形成されている。天板７ａの右中央部には、図８にも示すように、後述する磁気ヘッド１２ａの移動範囲を考慮した適宜の大きさの開口部７ｂが形成されている。開口部７ｂの後方には右側と中央部付近に上方に向かって延びる板状の各曲げ部７ｅ1 、７ｅ2 が前後方向で同一ライン（Ｃ−Ｄ方向に並んで）上に形成され、各曲げ部７ｅ1 、７ｅ2 の後方には、それぞれアーチ状に上方に膨らんだ各絞り部７ｄ1 、７ｄ2 が前後方向で同一ライン上に形成されている。
【００９４】
また、ホルダー７の中央後方部と左側後方部には、それぞれ、上方に延びた略Ｌ字状の曲げ部（切り起こし部）７ｆ1 、７ｆ2 が形成されている。各曲げ部７ｆ1 、７ｆ2 は、それらの各先端部７ｆ1a、７ｆ2aの下端と天板７ａとの間に、後述する磁気ヘッド１２ａを昇降操作するための部材である略長方形板状のリフト連結レバー（第２移動部材）８の各先端部をそれぞれ遊嵌して摺動可能な適宜の隙間を形成するようになっている。
【００９５】
ホルダー７の天板７ａの左側後方には、ホルダー７に収納されているカートリッジケース２０の一部を、カートリッジケース２０の取り出し時にホルダー７から外方に露出するようにＢ方向に移動させるための、けりだしレバー１１が支点７ｍを中心としてＧ−Ｈ方向に回動可能に取り付けてある。けりだしレバー１１は図示しないバネによりＧ方向（カートリッジケース２０の排出移動方向）に付勢されている。
【００９６】
また、ホルダー７の天板７ａの左側後方にはリフト連結レバー８が支点部７ｇを支点として、天板７ａの表面にほぼ平行に回動可能となるように取り付けてある。リフト連結レバー８は左右両端をホルダー７の天板７ａと曲げ部７ｆ1 の先端部７ｆ1aの下部、および曲げ部７ｆ2 の先端部７ｆ2aの下部との間にそれぞれ遊嵌され、リフト連結レバー８の左右両端がホルダー７上で必要以上に上下方向に動かないように組み込まれている。
【００９７】
リフト連結レバー８の左側端部には、リフト動作レバー５の溝部５ａ1 に嵌入して、リフト動作レバー５からの駆動力を伝達するための、腕部８ｂが下向きに、断面略コの字の板形状に形成されている。上記腕部８ｂは、金属板またはプラスチック板などの弾性部材からなっていることが好ましい。
【００９８】
上記腕部８ｂは、ベースシャーシ１の表面に対し略垂直方向、かつ、ホルダー７の側面と平行となる側面部（第２腕部）８ｂ2 と、ベースシャーシ１の表面に対し略平行に、かつ側面部８ｂ2 の先端から内方に折れ曲がった内方曲げ部（第１腕部）８ｂ1 とを有している。
【００９９】
上記内方曲げ部８ｂ1 はホルダー７の角孔７ｈを介し、ホルダー７の内側に向かって突設するように形成されており、ホルダー７の左側面の内方曲げ７ｉと上下方向に略同一位置の高さに配置される様に形成されている。その上、上記内方曲げ部８ｂ1 は、溝部５ａ1 内に嵌入すると共に、カートリッジケース２０の案内溝部２０ｇ2 内にも突出するように設定されている。
【０１００】
前記側面部８ｂ2 は、その幅が溝部５ａ1 の幅より大きく、かつ、溝部５ａ1 の外方から近接または溝部５ａ1 の外方から当接するように設定されており、よって、側面部８ｂ2 が溝部５ａ1 の内方に進入することが阻止されて、内方曲げ部８ｂ1 と溝部５ａ1 と連結（係合）を確実化できるものとなっている。
【０１０１】
また、リフト連結レバー８の右側端部には、リフト連結レバー８の回動により磁気ヘッド１２ａをＥ−Ｆ方向に昇降させるためのカム部８ａが形成されている。カム部８ａは、天板７ａの表面に対し、前方から後方に向かって順次高くなるように傾斜した上面を有する傾斜部８ａ1 と、上記傾斜部８ａ1 の後端部から続いて延びるホルダー７の天板７ａと略水平な上面を有する平坦部８ａ2 とを有している。
【０１０２】
ホルダー７の右側面前方には弾性部を有するシャッター係止バネ（以下、シャッターバネと記す）１０が組み込まれている。シャッターバネ１０の前方にはＶ字形状にホルダー７内に突出するブロック１０ｂがホルダー７の角孔７ｋを介して内方に突設されている。よって、上記ブロック１０ｂは、左右方向（Ｃ−Ｄ方向）に弾性移動可能になっている。
【０１０３】
また、シャッターバネ１０は、その後方に、第１付勢部１０ａ1 と第２付勢部１０ａ2 とを有している。上記第２付勢部１０ａ2 は、シャッターバネ１０の後方のホルダー７の側面から上方へと延び、Ｃ−Ｄ方向への弾性を有するように設けられている。上記第１付勢部１０ａ1 は、第２付勢部１０ａ2 の上部よりホルダー７の天板７ａと略平行に折り曲げられ、後方へと細長い形状にて延びており、上下方向（Ｅ−Ｆ方向）への弾性を有してホルダー７の天板７ａ上に配置されている。
【０１０４】
また、ホルダー７の天板７ａの右側後方にはリフトレバー（ヘッド変位手段）９が組み込まれている。リフトレバー９は、平面部９ｆと、平面部９ｆに対して平行で平面部９ｆの下方に段差をもって設けられた平面部９ｇとを有している。リフトレバー９の段曲げ部９ａ1 、９ａ2 とリフトレバー９の段曲げ部９ｃ1 、９ｃ2 、９ｃ3 は、各平面部９ｆ、９ｇとそれぞれ段差を有して互いに平行な面に形成されている。
【０１０５】
尚、段曲げ部９ａ1 、９ａ2 は平面部９ｆとの段差を同一になるよう形成されており、段曲げ部９ｃ1 、９ｃ2 、９ｃ3 も平面部９ｆとの段差を同一になるように形成されている。
【０１０６】
ホルダー７の曲げ部７ｅ1 、７ｅ2 に、リフトレバー９の異形孔９ｂ1 、９ｂ2 が嵌挿され、リフトレバー９をホルダー７に対し前後左右に位置規制させると共に、ホルダー７のアーチ状の各絞り部７ｄ1 、７ｄ2 の下側にそれぞれ挿入されるリフトレバー９の段曲げ部９ａ1 、９ａ2 と、先端部が前後方向に同一ライン上に形成され、ホルダー７の各絞り部７ｄ1 、７ｄ2 の前側と前後方向に略同一ライン上に位置するリフトレバー９の段曲げ部９ｃ1 、９ｃ2 、９ｃ3 とによりホルダー７の天板７ａを挟み込むことによって、リフトレバー９はホルダー７に対しホルダー７の各絞り部７ｄ1 、７ｄ2 の前端部を支点としてＩ−Ｊ方向に回動可能に取り付けられることとなる。
【０１０７】
従って、リフトレバー９の支点部は、挿入によって形成されるので、上記支点部の薄型が可能となった。この時、リフトレバー９は、リフトレバー９を予めホルダー７の天板７ａに対して４５度位Ｉ方向に回転させておき、続いて、ホルダー７の各絞り部７ｄ1 、７ｄ2 の下側にリフトレバー９の段曲げ部９ａ1 、９ａ2 をそれぞれ挿入し、次に、リフトレバー９をＪ方向に回転させ、ホルダー７の曲げ部７ｅ1 、７ｅ2 に、リフトレバー９の異形孔９ｂ1 、９ｂ2 をそれぞれ嵌挿して、ホルダー７に組込まれることとなる。
【０１０８】
また、リフトレバー９の平面部９ｇの左右両端には、それぞれ、各平面部９ｆ、９ｇと平行な各段曲げ部９ｅ1 、９ｅ2 が、外方に向かって、Ｃ−Ｄ方向に延びるように形成されている。また、リフトレバー９の平面部９ｇの左側には、リフト連結レバー８の回動により、リフトレバー９の前端部９ｇ1 を昇降させるための傾斜係合面９ｄがリフト連結レバー８のカム部８ａと係合するように形成されている。リフトレバー９の平面部９ｆの右端付近には上方に向かって延びる曲げ部９ｈが形成されている。
【０１０９】
シャッターバネ１０の第１付勢部１０ａ1 の先端部はリフトレバー９の平面部９ｆの上面で、曲げ部９ｈの内側に掛かっており、リフトレバー９はホルダー７に対してホルダー７のアーチ状の各絞り部７ｄ1 、７ｄ2 の前端を支点としてＪ方向に付勢されることとなる。
【０１１０】
シャッターバネ１０の第１付勢部１０ａ1 の付勢力はリフトレバー９が振動等によりガタつくこと無い様な荷重に設定されていると共に、リフトレバー９のＩ方向の回動動作時に必要以上の負荷がかからない様に、バネ定数をできるだけ低く設定する様に、シャッターバネ１０の板厚、第１付勢部１０ａ1 の長さ、幅を適正に設定されている。
【０１１１】
また、組み立て時において、シャッターバネ１０の第１付勢部１０ａ1 をリフトレバー９上に掛ける際に、第１付勢部１０ａ1 が第２付勢部１０ａ2 の左右方向の弾性により、Ｃ−Ｄ方向にも弾性を有するため、リフトレバー９の曲げ部９ｈの外側より掛けることが可能となり、組み立で性が向上する。
【０１１２】
次にベースシャーシ１とホルダー７の結合関係、および磁気ヘッド昇降機構の結合関係を、図４および図８ないし図１１に基づいて以下に詳細に説明する。図４に示すように、ホルダー７の左右両側面後方に形成された異形孔７ｃ1 、７ｃ2 が、ベースシャーシ１の左右後方に形成されている各ホルダー支点用端部１ｂ、１ｃにそれぞれ嵌挿され、ベースシャーシ１の曲げ部１ｉの右方先端部によりホルダー７がＣ−Ｄ方向の移動規制にされ、また、ホルダー７の右側面に設けられたＬ字状突起部７ｏにより回転角度の上限規制がなされた状態で、ホルダー７はベースシャーシ１に対して各ホルダー支点用端部１ｂ、１ｃを支点としてＩ−Ｊ方向に回動可能に取り付けられることとなる。
【０１１３】
本発明のディスクドライブ装置における磁気ヘッド昇降機構について、図８および図９に基づいて以下に詳細に説明する。図８および図９に示すように、ベースシャーシ１にＡ−Ｂ方向に摺動可能に組み込まれたリフト動作レバー５の左側後方の曲げ部５ａは、ホルダー７の側壁に形成された角孔７ｈに挿入され、カートリッジ本体２０ｂの左側面近傍およびホルダー７の左側壁と略同一線上になるように設置され、ホルダー７の左側壁と略同一線上を角孔７ｈ内でＡ−Ｂ方向に摺動するように設定されている。
【０１１４】
ホルダー７にＧ−Ｈ方向に回動可能に取り付けられたリフト連結レバー８の左端のコの字状の腕部８ｂの内方曲げ部８ｂ1 は、リフト動作レバー５の曲げ部５ａに形成されたＵ字状の溝部５ａ1 に外側から挿通され、ホルダー７の内側へと突き出されることにより、リフト動作レバー５とリフト連結レバー８とは互いに連結することとなる。
【０１１５】
リフト連結レバー８のコの字状の腕部８ｂの内方曲げ部８ｂ1 の長さは、ガタや衝撃等にて、リフト動作レバー５のＵ字状の溝部５ａ1 とリフト連結レバー８のコの字状の腕部８ｂの係合が外れない様に十分な長さに設定されている。また、上記内方曲げ部８ｂ1 は、前記した様にホルダー７左側面に設けられた内方曲げ部７ｉと上下方向で略同一位置の高さに形成されている。
【０１１６】
このため、ディスクカートリッジ２０がホルダー７に装着された際には、上記内方曲げ部８ｂ1 は、その先端部がディスクカートリッジ２０の後方左側面の案内溝部２０ｇ2 に挿入されることとなり、上記内方曲げ部８ｂ1 をリフト動作レバー５とリフト連結レバー８との連結を確実化するのに十分な長さに設定してもリフト動作レバー５とリフト連結レバー８の連結部、即ちリフト動作レバー５のＵ字状の溝部５ａ1 とリフト連結レバー８の腕部８ｂとの連結（係合）部は横方向（左右方向）に大きくなることが回避される。
【０１１７】
すなわち、リフト動作レバー５のＵ字状の溝部５ａ1 を有した曲げ部５ａはディスクカートリッジ２０の側面のすぐ近傍や、各角孔７ｈ内に立設することが可能となり、ホルダー７の左側壁内でほぼ収まる様に配置することが可能となり、小型化できるものとなった。
【０１１８】
また、リフト連結レバー８の腕部８ｂの側面部８ｂ2 の幅はリフト動作レバー５の溝部５ａ1 の幅（間隔）より大きくなるように形成されているので、リフト連結レバー８のＣ方向への移動が規制されることとなり、リフト動作レバー５のＵ字状の溝部５ａ1 とリフト連結レバー８のコの字状の腕部８ｂの係合が外れることが防止され、かつ、リフト動作レバー５の曲げ部５ａとリフト連結レバー８のコの字状の腕部８ｂの側面部８ｂ2 との隙間（間隔）を極力小さく設定することが可能となり、連結部の小型化に寄与することとなった。
【０１１９】
尚、リフト動作レバー５のＵ字状の溝部５ａ1 の互いに対面する各内壁は、図１０に示すように、ディスクカートリッジ２０の挿脱位置への移動により、ホルダー７がベースシャーシ１の各ホルダー支点用端部１ｂ、１ｃを支点としてＩ−Ｊ方向に回動してもリフト連結レバー８がＨ方向に回動しない様にホルダー７の支点用異形孔７ｃ2 を中心とし、ホルダー７の支点用異形孔７ｃ2 の位置と、ディスクカートリッジ２０の挿脱位置と再生位置との間での移動時におけるリフト連結レバー８の内方曲げ部８ｂ1 の位置との各距離（図１０中Ｌ1 、Ｌ2 ）を半径とした円弧形状にそれぞれ形成されている。
【０１２０】
さらに、リフト動作レバー５の曲げ部５ａの高さ、つまりＵ字状の溝部５ａ1 の深さは、ディスクカートリッジ２０の挿脱位置に、ホルダー７がベースシャーシ１の各ホルダー支点用端部１ｂ、１ｃを支点としてＩ−Ｊ方向に回動しても、Ｕ字状の溝部５ａ1 とコの字状の腕部８ｂの内方曲げ部８ｂ1 との係合を維持する高さ（深さ）に設定されている。
【０１２１】
このように溝部５ａ1 の互いに対面する各内壁を、それぞれ上述したように円弧状に、かつ、ホルダー７が回動しても内方曲げ部８ｂ1 との係合を維持するように形成することによって、ホルダー７のＩ−Ｊ方向の回動に起因するリフト連結レバー８の位置のズレを極力抑えることが可能となると共に、上記各内壁と内方曲げ部８ｂ1 との間での接触抵抗を軽減できて、ホルダー７の回動を円滑化できる。その上、リフト動作レバー５およびリフト連結レバー８を、それぞれベースシャーシ１およびホルダー７に組み付ける際の組立の容易性を、さらに改善できる。
【０１２２】
次に、磁気ヘッド装置１２の構成、および、光学ピックアップ装置２やリフト連結レバー８との結合関係を以下に詳細に説明する。図４および図５に示すように、磁気ヘッド装置１２は、ディスク２０ａに記録すべき情報信号に応じて変調された外部磁界を印加する磁気ヘッド１２ａと、この磁気ヘッド１２ａを先端部に支持した弾性変位可能な板バネ１２ｂと、この板バネ１２ｂを支持する磁気ヘッド支持板１３とを備えている。
【０１２３】
磁気ヘッド装置１２は、ターンテーブル３ｂ上のディスク２０ａを挟んで光学ピックアップ装置２と相対向する位置に磁気ヘッド１２ａを位置させ、光学ピックアップ装置２と同期してディスク２０ａの径方向に往復移動して操作されるように、光学ピックアップ装置２と磁気ヘッド装置１２とを連結するリンク部材に連結されている。
【０１２４】
以下に磁気ヘッド装置１２と光学ピックアップ装置２とを連結するリンク部材の各構成と結合関係について説明する。上記リンク部材は、図１、および、図１２ないし図１４に示すように、光学ピックアップ装置２に固定支持される連結アングル１４と、弾性変位可能な磁気ヘッド付勢バネ１５を有している。
【０１２５】
連結アングル１４は、連結片１４ｂと、連結片１４ｂに直交する取付片１４ａとにより全体として略Ｌ字状に形成されている。取付片１４ａは光学ピックアップ装置２の後方部に取付ビスにより連結されている。連結片１４ｂはベースシャーシ１の後方より上方へと突出するようになっている。
【０１２６】
磁気ヘッド装置１２の磁気ヘッド支持板１３が、連結アングル１４の連結片１４ｂの上方に形成された端部と、連結アングル１４の連結片１４ｂの一端を固定され弾性部を有する磁気ヘッド付勢バネ１５とにより挟持され、連結アングル１４の連結片１４ｂの上方端部と磁気ヘッド付勢バネ１５との挟持部を支点としてＩ−Ｊ方向に回動可能に支持され、図示しないバネによりＪ方向に付勢されている。
【０１２７】
なお、磁気ヘッド支持板１３即ち磁気ヘッド１２ａのＪ方向（ディスク２０ａの信号記録面に近接する方向）への回動は、連結アングル１４の上部の左右に設けられた曲げ部１４ｃの上端部により、磁気ヘッド支持板１３がベースシャーシ１の平面部（表面）と略平行になる位置にて規制されている。
【０１２８】
次に、上記リンク部材の動作について、以下に詳細に説明すると、まず、磁気ヘッド支持板１３は、連結アングル１４に対して、▲１▼下方曲げ部１３ａを、連結アングル１４の２箇所の傾斜曲げ部１４ｅの間に嵌挿されることにより、Ｘ方向が規制され、▲２▼２つの上方曲げ部１３ｂと平面突端部１３ｃにて、連結アングル１４の連結片１４ｂの板厚を挟み込むことにより、Ｙ方向の規制と、２箇所でＹ方向を規制することにより、平面回転方向であるＧ−Ｈ方向を規制される。
【０１２９】
さらに、磁気ヘッド支持板１３の後方部は、連結アングル１４における、上方に延びる上部突端部１４ｄと、磁気ヘッド付勢バネ１５の腕部１５ａの先端部１５ｂとにより、２箇所で挟持され、Ｅ−Ｆ方向に規制される。
【０１３０】
このとき、磁気ヘッド付勢バネ１５の先端部１５ｂは、連結アングル１４の上部突端部１４ｄの後方に位置するため、Ｅ−Ｆ方向のガタをある程度つめても、必要なＩ−Ｊ方向〔磁気ヘッド支持板１３が水平位置（再生位置）に対し、Ｉ方向への回動〕の回動量（１５度程度；ホルダー７における、再生位置と挿脱位置との間の回動角度により設定される）が得られる。
【０１３１】
上記構造により、磁気ヘッド装置１２および磁気ヘッド支持板１３は、連結アングル１４に対し、Ａ−Ｂ方向、Ｃ−Ｄ方向、Ｅ−Ｆ方向、Ｇ−Ｈ方向の移動が規制され、連結アングル１４の傾斜曲げ部１４ｅと、磁気ヘッド付勢バネ１５の先端部１５ｂとの挟持点を支点として、Ｉ−Ｊ方向に回動可能に支持される。なお、磁気ヘッド装置１２および磁気ヘッド支持板１３のＪ方向への付勢は、図示しないバネにより与えられる。
【０１３２】
以下に本実施の形態における、各構成の動作について説明する。図４および図１０に示すように、ホルダー７は各ホルダー支点用端部１ｂ、１ｃを中心に、ディスク２０ａに対し情報信号の記録および／または再生を行うベースシャーシ１に降下された記録／再生位置と、ディスクカートリッジ２０の挿入または排出を行うために上昇した挿脱位置との間にわたってＩ−Ｊ方向に回動される。
【０１３３】
まず、ディスクカートリッジ２０を挿入または排出を行う挿脱位置について以下に説明する。装置本体を構成する筐体の蓋体が上方に開くことにより、ホルダー７の前方の開口部７ｌが装置本体の外方に臨み、このホルダー７の開口部７ｌを介してディスクカートリッジ２０の挿入が可能となされ、又、ホルダー７に保持されたディスクカートリッジ２０の排出操作（取り出し操作）が可能となる。
【０１３４】
この状態において、リフト動作レバー５はＡ方向に移動した状態にあり、リフト連結レバー８は、リフト動作レバー５のＵ字状の溝部５ａ1 とリフト連結レバー８の内方曲げ部８ｂ1 との係合により支点部７ｇを中心としてＧ方向に回動した状態にある。
【０１３５】
リフト連結レバー８のカム部８ａは、図１１（ａ）にも示すように、リフトレバー９の傾斜係合面９ｄの下面とリフト連結レバー８のカム部８ａの平坦部８ａ2 と当接した状態にある。よって、リフトレバー９は、その前端部９ｇ1 がシャッターバネ１０の第１付勢部１０ａ1 の付勢力に抗して、ホルダー７のアーチ状の各絞り部７ｄ1 、７ｄ2 の前端部を支点としてＩ方向に回動された状態（磁気ヘッド１２ａがカートリッジケース２０に対し接触が防止された離間した状態）にある。
【０１３６】
すなわち、磁気ヘッド装置１２は、板バネ１２ｂがリフトレバー９の平面部９ｇの端面部９ｇ1 と当接した状態となり、磁気ヘッド１２ａは連結アングル１４の連結片１４ｂの上方端部と磁気ヘッド付勢バネ１５との挟持部を支点としてＩ方向に回動された状態となり、磁気ヘッド１２ａはホルダー７の天板７ａの内壁より僅かに上方に位置し、ディスクカートリッジ２０の挿入、排出動作により磁気ヘッド装置１２がディスクカートリッジ２０と当接して損傷することが防止される様に設定されている。
【０１３７】
このようなディスクカートリッジ２０の挿入／排出可能状態から、ディスクカートリッジ２０がホルダー７に開口部７ｌを介して天板７ａと底面部７ｎおよび左右両側面にガイドされて挿入される。
【０１３８】
このとき、ホルダー７の右側面の内方への曲げ部７ｊはディスクカートリッジの案内溝部２０ｇ1 の右側面に挿入され、更に操作者がディスクカートリッジ２０を押し込むことにより、ホルダー７の右側面での内方への曲げ部７ｊがロックレバー２０ｆをＧ方向に回動させることによりシャッター２０ｅの移動規制が解除され、ディスクカートリッジ２０のシャッター２０ｅの側面端に当接することにより、シャッター２０ｅがカートリッジ本体２０ｂに対してＢ方向に移動し、開口部２０ｃ1 、２０ｃ2 を介してディスク２０ａが露出した状態となる。
【０１３９】
一方、図１５（ａ）、図１５（ｂ）および図１５（ｃ）に示すように、ディスクカートリッジ２０の案内溝部２０ｇ2 の後方左側面にはホルダー７の左側面の曲げ部７ｉが挿入され、更にディスクカートリッジ２０を押し込むと、リフト連結レバー８の内方曲げ部８ｂ1 がディスクカートリッジ２０の案内溝部２０ｇ2 の後方左側面に挿入されることとなる。
【０１４０】
続いて、操作者が、図４にも示すように、ディスクカートリッジ２０をホルダー７内へ装置奥方向（Ａ方向）へと押し込み続けると、上記カートリッジケース２０の挿入端部が、けりだしレバー１１に当接し、さらに、操作者が、けりだしレバー１１のＧ方向への付勢力に抗して押し込み続けると、けりだしレバー１１がロックされて、ディスクカートリッジ２０がホルダー７内の所定位置に保持されることとなる。
【０１４１】
この状態から図示しない筐体の蓋体がＪ方向に回動され蓋体に保持されたホルダー７は、図８および図１１（ｂ）に示すように、情報信号の記録／再生、または再生可能状態（以下、ローディング位置と記す）となる。つまり、ホルダー７は図示しない蓋体と同期してベースシャーシ１の各ホルダー支点用端部１ｂ、１ｃを支点としてＪ方向に回動し、ホルダー７に保持されたディスクカートリッジ２０はベースシャーシ１へと近づく事となる。
【０１４２】
このとき、ディスクカートリッジ２０は、図６に示すベースシャーシ１の位置決めピン１ｄ、１ｅにそれぞれ位置決め孔２０ｈ、２０ｉが嵌挿されることによりベースシャーシ１上に記録／再生位置に装着される。この状態において、ディスク２０ａはターンテーブル３ｂにチャッキングされ、スピンドルモーター３ａの回転によるディスク２０ａの回転操作が可能となる。
【０１４３】
この状態では、リフト動作レバー５は上記した挿脱位置の状態と同様にＡ方向に移動された状態を維持している。リフト連結レバー８は、ホルダー７の各ホルダー支点用端部１ｂ、１ｃを支点とするＪ方向への回動動作により、図１０および図８に示すように、リフト連結レバー８の腕部８ｂの内方曲げ部８ｂ1 がリフト動作レバー５のＵ字状の溝部５ａ1 内をＪ方向に移動する。
【０１４４】
リフト動作レバー５のＵ字状の溝部５ａ1 の互いに対面する各内壁は、リフト動作レバー５がＡ方向に移動した位置にて、ベースシャーシ１の支点端１ｃを中心とした円弧形状に設定してあり、ホルダー７の各ホルダー支点用端部１ｂ、１ｃを支点とした回動動作では、リフト連結レバー８はホルダー７に対して移動せずに、挿脱位置の状態のまま保持され、Ｇ方向に回動した状態で保持される。
【０１４５】
よって、リフトレバー９もホルダー７に対しては、挿脱位置の状態のまま保持され、Ｉ方向に回動した状態で保持される。一方、磁気ヘッド装置１２は、ホルダー７のＪ方向への回動と同期して、連結アングル１４の連結片１４ｂの上方端部と磁気ヘッド付勢バネ１５との挟持部を支点としてＪ方向に回動する。
【０１４６】
このローディング位置においては、リフトレバー９がＩ方向に回動した状態で保持されるため、磁気ヘッド装置１２はリフトレバー９の平面部９ｇの端面９ｇ1 により板バネ１２ｂを上方へ移動させた状態となる。よって、磁気ヘッド１２ａは、図１１（ｂ）に示すように、ディスク２０ａの上方に離間した第２の位置に保持される。
【０１４７】
この第２の位置は、装置の操作モードとしては停止、あるいは再生のモードにおける磁気ヘッド１２ａの位置となる。この状態において、操作者が図示しない筐体に設けられた記録釦を操作すると、この筐体内に設けられた図示しない電子回路により、昇降駆動用のモーター４ａに電圧が印加される。
【０１４８】
上記ローディング位置における記録モードの磁気ヘッド１２ａの移動位置（第１の位置）について、図６、図１１（ｃ）、図１５ないし図１７に基づいて、以下に詳細に説明する。昇降駆動用のモーター４ａに電圧が印加され、回転すると、図示しないギヤ列を介し出力ギヤ４ｂが回転し、出力ギヤ４ｂと噛合したラック５ｅによりリフト動作レバー５はベースシャーシ１に沿ってＢ方向に移動する。リフト動作レバー５の曲げ部５ａはホルダー７の角孔７ｈ内でホルダー７の左側壁と平行にＢ方向に移動する。
【０１４９】
リフト動作レバー５のＵ字状の溝部５ａ1 とリフト連結レバー８の内方曲げ部８ｂ1 が連結（係合）されていることにより、リフト動作レバー５のＢ方向への移動に伴い、リフト連結レバー８はホルダー７上で支点部７ｇを中心にしてＨ方向に回動する。この時、リフト連結レバー８の内方曲げ部８ｂ1 はカートリッジ本体２０ｂの案内溝２０ｇ2 の左側面内を移動することとなる。このように内方曲げ部８ｂ1 の長さを、内方曲げ部８ｂ1 と溝部５ａ1 との連結を確実化するために溝部５ａ1 の厚さより長く設定しても、リフト連結レバー８の移動には何ら支障が無い。
【０１５０】
リフト連結レバー８のカム部８ａとリフトレバー９の傾斜係合面９ｄとの当接は、リフト連結レバー８の回動に伴って、カム部８ａの平面部８ａ2 から傾斜部８ａ1 へと移行して最終的に離間する。このとき、リフトレバー９は、シャッターバネ１０の第１付勢部１０ａ1 の付勢力により、ホルダー７のアーチ状の絞り部７ｄ1 、７ｄ2 の前端を支点として、ホルダー７に対しＪ方向に回動する。
【０１５１】
磁気ヘッド装置１２においては、図１１（ｃ）に示すように、板バネ１２ｂとリフトレバー９の平面部９ｇの端面部（Ｂ方向端面部）９ｇ1 との当接が離間するので、板バネ１２ｂの付勢力により、磁気ヘッド１２ａはホルダー７の開口部７ｂとデイスクカートリッジ２０の開口部２０ｃ2 を介してディスク２０ａの信号記録面に一定の接触圧で接触し、光学ピックアップ装置２の対物レンズ２ａとディスク２０ａを挟んで対向するように設定される。
【０１５２】
なお、記録モードが選択されたとき、ディスク回転装置３は駆動を開始し、ターンテーブル３ｂにクランクされたディスク２０ａをターンテーブル３ｂと一体的に回転操作するようになっている。
【０１５３】
ここで、光学ピックアップ装置２を駆動し、光源から出射される光ビームによってディスク２０ａの信号記録領域を走査しながら磁気ヘッド１２ａから記録すべき情報信号に応じて変調された外部磁界をディスク２０ａに印可することによって所望の情報記録が行われる。
【０１５４】
この記録モードにおいて、リフト動作レバー５の前方端部５ｆが、リフト動作レバー５のＢ方向への移動に伴って、ベースシャーシ１の前方部より突出し、この前方端部５ｆの突出による図示しない装置本体の係合部と係合することにより図示しない装置の蓋体が不用意に開くことを防止し、第１の位置での状態からホルダー７が不用意にＩ方向に回動することが防止される。
【０１５５】
この第１の位置（記録モード）から操作者が図示しない筐体に設けられた停止釦を操作すると、この筐体内に設けられた図示しない電子回路により、昇降駆動用のモーター４ａに記録釦を操作した際の電圧とは逆の電圧が印加される。
【０１５６】
停止モード（第２の位置）は図５、図８、および図９に示しており、以下に詳細に説明する。モーター４ａに電圧が印加され、回転すると、図示しないギヤ列を介し出力ギヤ４ｂが回転し、出力ギヤ４ｂと噛合したラック５ｅによりリフト動作レバー５はベースシャーシ１に沿ってＡ方向に移動する。
【０１５７】
リフト動作レバー５の曲げ部５ａはホルダー７の角孔７ｈ内でホルダー７の左側壁と平行にＡ方向に移動する。リフト動作レバー５のＵ字状の溝部５ａ1 とリフト連結レバー８のコの字状の腕部８ｂが連結されていることにより、リフト動作レバー５のＡ方向への移動に伴い、リフト連結レバー８はホルダー７上で支点部７ｇを中心にしてＧ方向に回動する。
【０１５８】
リフト連結レバー８のカム部８ａとリフトレバー９の傾斜係合面９ｄは離間した位置より、リフト連結レバー８のＧ方向への回動により、リフトレバー９の傾斜係合面９ｄはリフト連結レバー８のカム部８ａの傾斜部８ａ1 に当接し、傾斜部８ａ1 に沿ってリフトレバー９はシャッターバネ１０の第１付勢部１０ａ1 の付勢力に抗してホルダー７のアーチ状の絞り部７ｄ1 、７ｄ2 の前端を支点として、ホルダー７に対しＩ方向に回動し始める。
【０１５９】
リフトレバー９の傾斜係合面９ｄは、最終的にリフト連結レバー８のカム部８ａの平面部８ａ2 に当接し、リフトレバー９の平面部９ｇの端面部９ｇ1 はホルダー７の天板７ａと離間した上方位置へ回動した位置に、リフトレバー９とリフト連結レバー８との当接によって保持される。
【０１６０】
リフトレバー９が上方位置に回動した状態において、傾斜係合面９ｄはホルダー９の天板９ａと平行になるように形成され、リフト連結レバー８のカム部８ａの平坦部８ａ2 と平行になる。従って、リフト連結レバー８やリフトレバー９の位置ズレ等が生じても、リフトレバー９の回動量の変化が無いこととなり、後述する磁気ヘッド１２ａの上方へ離間した位置が安定化することとなる。
【０１６１】
また、リフトレバー９が上方位置に回動した状態において、傾斜係合面９ｄはホルダー９の天板９ａと平行になるように設定されることにより、傾斜係合面９ｄの高さを低く設定できて、リフトレバー９の回動量が大きい磁気ヘッド１２ａのより近くに配置することが可能となり、部品のバラツキによる磁気ヘッド１２ａの上方への退避位置の精度が向上することが可能となる。
【０１６２】
従って、ディスクカートリッジ２０の排出時において、ディスクカートリッジ２０と磁気ヘッド１２ａとの当接が回避され、また、磁気ヘッド１２ａの高さを低い位置に設定することが可能となるため、装置の小型化が可能となる。
【０１６３】
また、磁気ヘッド装置１２では、リフトレバー９がＩ方向に回動すると、板バネ１２ｂとリフトレバー９の平面部９ｇの端面部９ｇ1 とが互いに離間した位置から当接して押圧する位置に移動するため、板バネ１２ｂの付勢力に抗して、磁気ヘッド１２ａはディスク２０ａの上方へと離間した第２の位置に移動される。
【０１６４】
一方、ベースシャーシ１にディスク２０ａを収納したディスクカートリッジ２０または再生専用型の光ディスク２１ａを収納したディスクカートリッジ２１が装着され、再生釦が操作され再生操作モードが選択されたときには、外部磁界の印可を必要としない。
【０１６５】
すなわち、ディスク２０ａに記録された情報信号の読み取りは、光学ピックアップ装置２から出射される光ビームによりディスク２０ａの信号記録面を走査し、ディスク２０ａの信号記録面から反射される光ビームを光学ピックアップ装置２に設けた光検出器によって検出することによって行われる。したがって、情報信号の再生には、外部磁界を必要としないので、リフト動作レバー５がＢ方向に移動するように駆動される動作は省かれる。
【０１６６】
本発明の第一のディスクドライブ装置は、再生可能なディスクを筐体状のカートリッジケースに収納し、前記カートリッジケースの側部に前記カートリッジケースの挿入方向端面より挿入方向に平行な案内溝が形成されているディスクドライブ装置であって、基台に支持され且つ前記カートリッジケースの挿脱方向と略同一方向に移動すると共に、移動方向略先端部および前記カートリッジケースの側部近傍に位置するＵ字状の溝を形成して成る第１移動部材と、カートリッジケース挿入奥部を支点として回動可能であり、カートリッジケース挿入ガイド部を設けると共に、前記基台に対して回動することによってディスクを再生／記録可能位置にもちきたすホルダーと、前記ホルダーに移動可能に支持される第２移動部材とが備えられ、前記第２移動部材は少なくとも２つ以上の腕部を有し、その内の１つの腕部が前記第１移動部材のＵ字状の溝に嵌入されると共に、さらに前記カートリッジケースの側部の案内溝にも挿入されるようになっていてもよい。
【０１６７】
また、本発明の第二のディスクドライブ装置としては、上記第一のディスクドライブ装置において、前記第２移動部材の腕部が、前記第１移動部材の溝部に嵌入され、かつ前記カートリッジケースの案内溝に挿入される第１腕部と、第１腕部に連結され、かつ溝部を外方から対面する第２腕部とを有し、前記第２腕部の幅は、前記溝部の幅より大きくなるように設定されていてもよい。
【０１６８】
また、本発明の第三のディスクドライブ装置としては、上記第一のディスクドライブ装置において、前記ホルダーの側面に前記カートリッジケースの側部の案内溝に挿入する内方への曲げ部を有し、前記第２移動部材に形成された前記カートリッジケースの側部の案内溝に挿入される前記第１腕部が、前記ホルダーの内方曲げ部とカートリッジケース挿入方向に直交する高さ方向に略同一位置に形成されていると共に、前記ホルダーの内方曲げ部のカートリッジケース挿入方向における後方に配置するようにしてもよい。
【０１６９】
また、本発明の第四のディスクドライブ装置は、上記第一のディスクドライブ装置において、前記第２移動部材の前記第１腕部および前記第２腕部の近傍の前記ホルダーに切り起こし部を設け、前記切り起こし部には、前記第２移動部材を支持する前記ホルダーの取付面との間に前記第２移動部材を遊嵌することにより、第２移動部材の上下方向のガタ規制するための適宜の隙間を設けるようにしてもよい。
【０１７０】
また、本発明の第五および第六のディスクドライブ装置は、上記第一のディスクドライブ装置において、前記第１移動部材のＵ字状の溝部形状は、カートリッジケースを挿脱位置と再生可能位置間に移動させる前記ホルダーの回動支点を中心とし、前記ホルダー回動支点の位置とカートリッジケースの挿脱時における前記第１移動部材のＵ字状の溝部に嵌入される前記第２移動部材の前記第１腕部の位置との前記ホルダーの回動平面上における投影距離を半径とする円弧形状に形成されていてもよい。
【０１７１】
また、本発明の第七のディスクドライブ装置は、上記第一のディスクドライブ装置において、磁界を発生させることによりディスクに情報を記録する磁気ヘッドを有し、前記ホルダーに回動可能に支持され、且つ記録状態において前記磁気ヘッドが位置する第１の位置と、非記録状態において前記磁気ヘッドが第１の位置よりディスクと離間する位置にある第２の位置とにわたって前記回動動作により前記磁気ヘッドを昇降させるヘッド昇降板がヘッド変位手段として備えられており、前記第２移動部材の他端に前記ヘッド昇降板の回動動作を行わしめるカム部が設けられ、前記ヘッド昇降板には前記第２移動部材のカム部と係合する係合面が設けられており、前記カム部が傾斜部と、前記磁気ヘッドを第２の位置に保持し前記ディスク面上に略平行な平坦部を有すると共に、前記ヘッド昇降板の係合面の形状が、前記磁気ヘッドがディスクと離間位置にある前記第２の位置において前記ヘッド昇降板の係合面も前記ディスク面と略平行な面になるように形成されていてもよい。
【０１７２】
また、本発明の第八のディスクドライブ装置は、上記第五のディスクドライブ装置において、前記カートリッジケースには前記ディスクを露出させるための窓を開閉するシャッターが備えられ、前記ホルダーの側面には、前記シャッターと係合し、前記シャッターの少なくとも閉動作を行い、弾性部を有するシャッター係止バネが備えられ、前記シャッター係止バネの他端に、上下方向に弾性を有する第１付勢部と左右方向に弾性を有し前記第１付勢部が先端部に形成された第２付勢部が形成され、前記ヘッド昇降板の回動方向への付勢力を与える付勢手段を、前記シャッター係止バネの前記第１付勢部により行うように設定してもよい。
【０１７３】
【発明の効果】
本発明のディスクドライブ装置によれば、駆動力により移動する第１移動部材に、ケースの挿脱位置とケース中のディスクの再生位置との間で変位するホルダーが再生位置のときに、上記ホルダーの側面に沿った方向になる溝部が設けられ、上記第１移動部材からの駆動力が伝達される第２移動部材には、腕部が、上記の溝部に嵌入されると共にケースの案内溝にも挿入されるように形成されている構成である。
【０１７４】
それゆえ、上記構成では、上記腕部を溝部に嵌入することにより、駆動力を第１移動部材から第２移動部材に伝達できると共に、上記腕部がケースの案内溝に挿入されることにより、第１移動部材と第２移動部材との間にて駆動力を伝達する連結機構において、ホルダーの変位動作による外方への突出等により大型化するという従来の連結機構を小型化できるという効果を奏し、装置の小型化に寄与できるという効果を奏する。
【図面の簡単な説明】
【図１】本発明のディスクドライブ装置の分解斜視図である。
【図２】上記ディスクドライブ装置に用いられ、光磁気による記録／再生が行われるディスクを収納したディスクカートリッジを示し、（ａ）は裏面図、（ｂ）は左側面図、（ｃ）は上面図、（ｄ）右側面図である。
【図３】上記のディスクドライブ装置に用いられ、再生専用型の光ディスクを収納したディスクカートリッジを示す説明図であり、（ａ）は裏面図、（ｂ）は左側面図、（ｃ）は上面図、（ｄ）は右側面図である。
【図４】上記ディスクドライブ装置の斜視図である。
【図５】上記ディスクドライブ装置における、第１の位置（停止・再生モード）の裏面図である。
【図６】上記ディスクドライブ装置のベースシャーシ、およびベースシャーシに備えられる光学ピックアップ装置、ディスク回転装置、磁気ヘッド昇降機構の一部の結合関係を示す斜視図である。
【図７】上記ディスクドライブ装置のホルダー、およびホルダーに備えられる磁気ヘッド昇降機構の結合関係を示す斜視図である。
【図８】上記の図５に示すディスクドライブ装置の左側面図である。
【図９】上記の図５に示すディスクドライブ装置の上面図である。
【図１０】上記ディスクドライブ装置のディスクの挿脱位置を示す左側面図である。
【図１１】上記ディスクドライブ装置のリフト連結レバーのカム部とリフトレバー、およびリフトレバーと磁気ヘッド装置との係合関係の要部を示す概略図であり、（ａ）はディスクの挿脱位置、（ｂ）は磁気ヘッドの第１の位置、（ｃ）は磁気ヘッドの第２の位置を示す。
【図１２】上記ディスクドライブ装置における、磁気ヘッド装置と光ピックアップ装置とを連結するためのリンク部材の構造を示す分解斜視図である。
【図１３】上記リンク部材の斜視図である。
【図１４】上記リンク部材の平面図である。
【図１５】上記ディスクドライブ装置の第１の位置における要部を示す説明図であり、（ａ）は左側面図、（ｂ）は上面図、（ｃ）は後面図である。
【図１６】上記ディスクドライブ装置における、第２の位置（記録モード）を示す左側面図である。
【図１７】上記ディスクドライブ装置の上面図である。
【図１８】従来のディスクドライブ装置のＡ方向への移動位置での要部を示す説明図であり、（ａ）は裏面図、（ｂ）は左側面図、（ｃ）は上面図である。
【図１９】上記従来のディスクドライブ装置のＢ方向への移動位置での要部を示す説明図であり、（ａ）は裏面図、（ｂ）は左側面図、（ｃ）は上面図である。
【図２０】上記従来のディスクドライブ装置のディスクの挿脱位置における要部を示す左側面図である。
【符号の説明】
１    ベースシャーシ（基台）
１ｂ  ホルダー支点用端部
１ｃ  ホルダー支点用端部
２    光学ピックアップ装置
５    リフト動作レバー（第１移動部材）
５ａ1 溝部
７    ホルダー
７ｃ  回動支点孔
７ｉ  曲げ部
７ｆ1 曲げ部（切り起こし部）
７ｆ2 曲げ部（切り起こし部）
８    リフト連結レバー（第２移動部材）
８ａ  カム部
８ａ1 傾斜部
８ａ2 平坦部
８ｂ  曲げ部（腕部）
８ｂ1 内方曲げ部（第１腕部）
８ｂ2 側面部（第２腕部）
９    リフトレバー（ヘッド変位手段）
９ｄ  傾斜係合面
１０    シャッターバネ（シャッター係止バネ）
１０ａ1 第１付勢部
【図１】
0003703675.tif 000002
【図２】
0003703675.tif 000003
【図３】
0003703675.tif 000004
【図４】
0003703675.tif 000005
【図５】
0003703675.tif 000006
【図６】
0003703675.tif 000007
【図７】
0003703675.tif 000008
【図８】
0003703675.tif 000009
【図９】
0003703675.tif 000010
【図１０】
0003703675.tif 000011
【図１１】
0003703675.tif 000012
【図１２】
0003703675.tif 000013
【図１３】
0003703675.tif 000014
【図１４】
0003703675.tif 000015
【図１５】
0003703675.tif 000016
【図１６】
0003703675.tif 000017
【図１７】
0003703675.tif 000018
【図１８】
0003703675.tif 000019
【図１９】
0003703675.tif 000020
【図２０】
0003703675.tif 000021